(57)【特許請求の範囲】
【請求項１】
フェムトセルのパイロット位相フェイズをセットするための方法において、前記方法は、
２πを、複数のマクロ位相オフセットに分割することと、
複数のフェムト位相オフセットを、マクロ位相オフセットの間に挿入する（各々のフェムト位相は、二つの隣接するマクロ位相オフセットの間に挿入される）ことと、
マクロセルに対して存在するのと少なくとも同じ数のパイロット位相オフセットを、フェムトセルに対して作成することを含む方法。
【請求項２】
前記マクロセルに対して存在するのと少なくとも同じ数のパイロット位相オフセットを、フェムトセルに対して作成することは、偶数単位の最小位相間隔におけるマクロ位相オフセットを残している間、ＰＩＬＯＴ＿ＩＮＣをデクリメントして、フェムトセルに対してＰＮオフセットのための奇数単位の位相間隔を生成することを更に含む請求項１に記載の方法。
【請求項３】
前記ＰＩＬＯＴ＿ＩＮＣは、マクロのセルのための位相オフセットとは別のものとして、フェムトセルのためのＰＮオフセットのサイズを管理するために使用される請求項１に記載の方法。
【請求項４】
低密度のフェムトセルにおいて、奇数のＰＮオフセットのサブセットは、フェムトセルのために使用され及びネイバーリスト中に明示的に含まれることができる請求項１に記載の方法。
【請求項５】
高密度のフェムトセルにおいて、新たなフェムトに気付いているＵＥは、フェムトＰＮオフセットのセットを、それらが明示的にネイバーリストに含まれることなしに、処理するように配置及び構成される請求項１に記載の方法。
【請求項６】
フェムトセルのパイロット位相フェイズをセットするための装置において、
２πを、複数のマクロ位相オフセットに分割するための手段と、
複数のフェムト位相オフセットを、マクロ位相オフセットの間に挿入する（各々のフェムト位相は、二つの隣接するマクロ位相オフセットの間に挿入される）ための手段と、
フェムトセルに対して及びマクロセルに対して、少なくとも同じ数のパイロット位相を作成するための手段とを含む装置。
【請求項７】
前記フェムトセルに対して及びマクロセルに対して、少なくとも同じ数のパイロット位相を作成するための手段は、偶数単位の最小位相間隔におけるマクロ位相オフセットを残している間、ＰＩＬＯＴ＿ＩＮＣをデクリメントして、フェムトセルに対してＰＮオフセットのための奇数単位の位相間隔を生成するための手段を更に含む請求項６に記載の装置。
【請求項８】
前記ＰＩＬＯＴ＿ＩＮＣは、フェムトセルのためのＰＮオフセットのサイズを管理するために使用される請求項６に記載の装置。
【請求項９】
低密度のフェムトセルにおいて、奇数のＰＮオフセットのサブセットは、フェムトセルのために使用され及びネイバーリスト中に明示的に含まれることができる請求項６に記載の装置。
【請求項１０】
高密度のフェムトセルにおいて、新たなフェムトに気付いているＵＥは、フェムトＰＮオフセットのセットを、それらが明示的にネイバーリストに含まれることなしに、処理するように配置及び構成される請求項６に記載の装置。
【請求項１１】
フェムトセルのパイロット位相フェイズをセットするための装置において、
２πを、複数のマクロ位相オフセットに分割し、
複数のフェムト位相オフセットを、マクロ位相オフセットの間に挿入し（各々のフェムト位相は、二つの隣接するマクロ位相オフセットの間に挿入され）、
フェムトセルに対して及びマクロセルに対して、少なくとも同じ数のパイロット位相を作成するためのプロセッサを含む装置。
【請求項１２】
コンピュータ読み取り可能な記憶媒体において、
コンピュータに、
２πを、複数のマクロ位相オフセットに分割させ、
複数のフェムト位相オフセットを、マクロ位相オフセットの間に挿入させ（各々のフェムト位相は、二つの隣接するマクロ位相オフセットの間に挿入され）、
フェムトセルに対して及びマクロセルに対して、少なくとも同じ数のパイロット位相を作成させるためのコードを含むコンピュータ読み取り可能な記憶媒体。
【請求項１３】
前記フェムトセルに対して及びマクロセルに対して、少なくとも同じ数のパイロット位相を作成させるためのコードは、コンピュータに、偶数単位の最小位相間隔におけるマクロ位相オフセットを残している間、ＰＩＬＯＴ＿ＩＮＣをデクリメントさせて、フェムトセルに対してＰＮオフセットのための奇数単位の位相間隔を生成させるためのコードを含む請求項１２に記載のコンピュータ読み取り可能な記憶媒体。
【請求項１４】
前記ＰＩＬＯＴ＿ＩＮＣは、フェムトセルのためのＰＮオフセットのサイズを管理するために使用される請求項１２に記載のコンピュータ読み取り可能な記憶媒体。
【請求項１５】
低密度のフェムトセルにおいて、奇数のＰＮオフセットのサブセットは、フェムトセルのために使用され及びネイバーリスト中に明示的に含まれることができる請求項１２に記載のコンピュータ読み取り可能な記憶媒体。
【請求項１６】
高密度のフェムトセルにおいて、新たなフェムトに気付いているＵＥは、フェムトＰＮオフセットのセットを、それらが明示的にネイバーリストに含まれることなしに、処理するように配置及び構成される請求項１２に記載のコンピュータ読み取り可能な記憶媒体。
【発明の詳細な説明】
【技術分野】
【０００１】
（35 U.S.C. §119の下の優先権主張）
本特許出願は、2007年10月12日付け提出され、「FEMTO CELL SYNCHRONIZATION AND PILOT SEARCH METHODOLOGY」と題された米国仮出願第60/979,797号の優先権を主張する。それは、本願の譲受人に譲渡され、参照によって本明細書に明確に組み込まれる。
【０００２】
（技術分野）
本出願は、一般に無線通信に関し、より詳しくはアクセスポイント基地局又はフェムトセルの同期及びパイロット探索技術を可能にする方法及びシステムに関するものである。
【背景技術】
【０００３】
複数のユーザに様々なタイプの通信（例えば、ボイス、データ、マルチメディアサービスなど）を提供するために、無線通信システムが広く配置される。高レート及びマルチメディアのデータサービスの需要が急速に増大するにつれて、強化されたパフォーマンスを備えた効率的で強健な通信システムを実装するという課題が待ち受けている。
【０００４】
近年、ユーザは、固定回線通信を移動体通信で置き換え始め、良いボイス品質、信頼できるサービス及び低価格をますます要求した。
【０００５】
現在実施されている携帯電話網に加えて、新たな種類の小型基地局が出現した。それは、ユーザの家庭に設置され、既存の広帯域インターネット接続を使用して、携帯電話端末に屋内の無線カバレージを提供することができる。そのようなパーソナルな小型基地局は、アクセスポイント基地局又は代わりにＨｏｍｅ Ｎｏｄｅ Ｂ（ＨＮＢ）若しくはフェムトセルとして一般に知られている。一般的に、そのような小型基地局は、ＤＳＬルータ又はケーブルモデムを介してインターネット及び携帯電話会社のネットワークに接続される。
【発明の概要】
【０００６】
好ましい実施態様は、関係のある技術の１つ又は複数の不利な点をかなり取り除くアクセスポイント基地局又はフェムトセルの同期及びパイロット探索技術を可能にする方法及びシステムに関係する。
【０００７】
好ましい実施態様の一つの態様において、フェムトセルをマクロセルと同期させるためのシステム、方法及びコンピュータ製品があり、前記方法は、（ａ）フェムトセルによって、マクロセルの送信タイミングを受信することと、（ｂ）順方向リンク受信機の信号に基づいて、前記フェムトセルの配置において、前記フェムトセルの送信タイミングを前記マイクロセルラーネットワークの送信タイミングと同期させることを含む。
【０００８】
各々のフェムトセルは、ＵＥ（別称、ＭＳ）のアンテナ利得よりも優れているアンテナ利得を持っても良く、ＵＥがない無線受信状態においてさえもマクロシステムを捕捉することが可能である。一つの実施態様において、当業者に良く知られている最新のゼロＩＦ受信機（zero-IF receiver）技術のために、フェムトセル内の順方向リンク受信機の実装は、フェムトセルのコストをほどほどに増すだけである。
【０００９】
好ましい実施態様の他の態様において、フェムトセルのパイロット位相をセットするためのシステム、方法及びコンピュータ製品が存在し、該方法は、（ａ）２πの位相空間を、複数のマクロ位相オフセットに分割することと、（ｂ）複数のフェムト位相オフセットを、マクロ位相オフセットの間に挿入する（各々のフェムト位相は、ＰＩＬＯＴ＿ＩＮＣとして知られているパラメータにより一つの実施形態において制御される位相間隔で、二つの隣接するマクロ位相オフセットの間に挿入される）ことと、（ｃ）同じ数の使用可能なフェムトセル位相オフセット及びマクロセル位相オフセットを作成することを含む。前記同じ数の使用可能なフェムトセル位相オフセット及びマクロセル位相オフセットを作成することは、偶数単位の最小位相間隔におけるマクロ位相オフセットを残している間、ＰＩＬＯＴ＿ＩＮＣをデクリメントして、フェムトセルに対してＰＮオフセットのための奇数単位の位相間隔を生成することを更に含む。
【００１０】
一つの実施形態において、ＰＩＬＯＴ＿ＩＮＣは、フェムトセルの配置に先立って使用されたマクロのみの構成から、少なくとも１デジットずつ減じられる。これは、マクロセルのために存在するのと同数のＰＮを、フェムトセルのために有効に利用できるようにする（opens up）。
【００１１】
本発明の更なる特徴及び利点は、後に続く説明で述べられ、一つには説明から明白になるであろうし或いは発明の実践により確認されることもできる。本発明の利点は、添付された図面に加えて記述された説明及び請求項において詳しく指し示された構造によって実現及び達成されるであろう。
【００１２】
前述の一般的な説明及び以下の詳細な説明は、例示的且つ説明的でなものであり、また、クレームされた本発明の更なる説明を提供することを目的としていることは理解されるべきである。
【図面の簡単な説明】
【００１３】
【図１】図１は、例示的な無線通信システムを示す。
【図２】図２は、ネットワーク環境内のアクセスポイント基地局の配置を可能にする例示的な通信システムを示す。
【図３】図３は、フェムトセル内に順方向リンク受信機を配置することにってフェムトセルをマクロセルと同期させる例示的な方法を示す。
【図４】図４は、パイロット位相プランニング・チャート（pilot phase planning chart）を例示する。
【図５】図５は、探索ウィンドウの概念を例示する。
【図６】図６は、アイドル状態にあるレガシーＭＳの方法を例示する。
【図７】図７は、通信コンポーネントの幾つかのサンプル態様の簡略化されたブロック図を示す。
【図８】図８は、本明細書で説明される更なる態様に従ったシステム８００のサンプルブロック図を示す。
【詳細な説明】
【００１４】
語“例示的な（exemplary）”は、“例（example）、事例（instance）又は説明（illustration）として役立つこと（serving）”を意味するために本明細書で用いられる。“例示的な（exemplary）”として本明細書で説明される実施形態は、必ずしも他の実施形態よりも望ましい又は有利であるとして解釈される必要はない。本明細書で説明される技術は、例えば符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、シングルキャリアＦＤＭＡ（ＳＣ−ＦＤＭＡ）ネットワークなどのような、様々な無線通信ネットワークのために使用されることができる。用語“ネットワーク（networks）”及び“システム（systems）”は、しばしば互換的に使用される。ＣＤＭＡシステムは、例えばユニバーサル地上無線アクセス（ＵＴＲＡ）、ｃｄｍａ２０００などのような無線技術を実装することができる。ＵＴＲＡは、ワイドバンドＣＤＭＡ（Ｗ−ＣＤＭＡ）及び低チップレート（Low Chip Rate）（ＬＣＲ）を含む。ｃｄｍａ２０００は、ＩＳ−２０００標準、ＩＳ−９５標準及びＩＳ−８５６標準をカバーする。ＴＤＭＡネットワークは、例えばグローバル移動体通信システム（Global System for Mobile Communications）（ＧＳＭ（登録商標））のような無線技術を実装することができる。ＯＦＤＭＡシステムは、例えばEvolved ＵＴＲＡ（Ｅ−ＵＴＲＡ）、ＩＥＥＥ ８０２．１１、ＩＥＥＥ８０２．１６、ＩＥＥＥ ８０２．２０、Ｆｌａｓｈ−ＯＦＤＭ（登録商標）などのような無線技術を実装することができる。ＵＴＲＡ、Ｅ−ＵＴＲＡ及びＧＳＭは、ユニバーサル移動通信システム（Universal Mobile Telecommunication System）（ＵＭＴＳ）の一部である。ロングタームエボリューション（Long Term Evolution）（ＬＴＥ）は、Ｅ−ＵＴＲＡを使う、ＵＭＴＳの来るリリースである。ＵＴＲＡ、Ｅ−ＵＴＲＡ、ＧＳＭ、ＵＭＴＳ及びＬＴＥは、“第３世代パートナーシッププロジェクト”（３ＧＰＰ）という名前の団体からのドキュメントに記載されている。ｃｄｍａ２０００は、“第３世代パートナーシッププロジェクト２”（３ＧＰＰ２）という名前の団体からのドキュメントに記載されている。これら各種の無線技術及び標準は、当該技術分野において知られている。
【００１５】
本明細書の説明において、比較的大きなエリアにわたるカバレージを提供するノードはマクロノードと呼ぶこができ、一方、比較的小さなエリア（例えば住宅）にわたるカバレージを提供するノードは、フェムトノードと呼ぶことができる。本明細書の教示は、他のタイプのカバレージエリアに関連するノードに適用できることは認識されるべきである。例えば、ピコノードは、マクロエリアより狭く、フェムトエリアより広いエリアにわたるカバレージ（例えば商業ビル内のカバレージ）を提供しても良い。様々なアプリケーションでは、マクロノード、フェムトノード又は他のアクセスポイントのタイプのノードを参照するために、他の用語が使用されても良い。例えば、マクロノードは、アクセスノード、基地局、アクセスポイント、ｅＮｏｄｅ Ｂ、マクロセルなどとして構成され又は呼ばれることができる。同様に、フェムトノードは、ホームＮｏｄｅ Ｂ（Home NodeB）、ホームｅＮｏｄｅ Ｂ（Home eNodeB）、アクセスポイント基地局、フェムトセルなどとして構成され又は呼ばれることができる。幾つかの実装では、ノードは１つ又は複数のセル又はセクターに関係して（例えば、分割されて）いても良い。マクロノード、フェムトノード又はピコノードに関連するセル又はセクターは、それぞれ、マクロセル、フェムトセル又はピコセルと呼ばれても良い。フェムトノードがネットワーク中にどのように配置されることができるかについての簡略化された例は、図１及び２を参照して説明される。
【００１６】
図１は、多数のユーザをサポートするように構成される例示的な無線通信システム１００を示す。そこにおいて、様々な開示された実施形態及び態様が実装されても良い。図１に示されるように、例として、システム１００は、例えばマクロセル１０２ａ−１０２ｇのような複数のセル１０２に関する通信を提供する。各々のセルは、例えばＡＰ１０４ａ−１０４ｇのような対応するアクセスポイント（ＡＰ）又はポイント１０４によりサービスされている。各々のマクロセルは、１又は複数のセクター（図示せず）にさらに分割されても良い。さらに図１に示されるように、ユーザ装置（ＵＥ）、移動局（ＭＳ）又は端末デバイスとしても互換的に知られている、ＡＴ１０６ａ−１０６ｌを含む様々なアクセス端末（ＡＴ）デバイス１０６は、システムの全体にわたる様々な位置に分散し得るものである。各々のＡＴ１０６は、例えば、ＡＴがアクティブかどうか及びそれがソフトハンドオフ中であるかどうかに応じて、所与の瞬間において順方向リンク（ＦＬ）及び／又は逆方向リンク（ＲＬ）の上で１つ又は複数のＡＰ１０４と通信し得る。無線通信システム１００は、広い地理的領域にわたってサービスを提供し得るものである。例えば、マクロセル１０２ａ−１０２ｇは、自宅周辺（neighborhood）のほんの少数ブロック又は地方の環境（rural environment）における数平方マイルをカバーし得る。
【００１７】
図２は、ネットワーク環境内のフェムトセル（アクセスポイント基地局）としても知られているフェムトノードの配置を可能にする例示的な通信システムを示す。図２に示されるように、システム２００は、例えばＨＮＢ２１０のような、複数のフェムトノード又は代わりにフェムトセル、アクセスポイント基地局、ホームＮｏｄｅ Ｂ（ＨＮＢ）ユニットを含む。各々は、例えば１又は複数のサイト２３０のような対応する比較的狭いカバレージのネットワーク環境中に設置され、例えば関連するユーザ装置２２０にサービスするように構成されるなどである。各々のＨＮＢ２１０は、例えばインターネット２４０のような広域ネットワークを経由して、マクロモバイルオペレータ・コアネットワーク２５０（“コアネットワーク”とも呼ばれる）を含むインターネット上の任意のノードと通信するように接続され更に構成されても良い。
【００１８】
本明細書で説明される実施態様は、３ＧＰＰ用語を使用するが、本実施態様は、３ＧＰＰ(Ｒｅｌ９９，Ｒｅｌ５，Ｒｅｌ６，Ｒｅｌ７など）技術だけでなく、他の既知で関係のある技術と同様、３ＧＰＰ２（１ｘＲＴＴ，１ｘＥＶ−ＤＯ Ｒｅｌ０，ＲｅｖＡ，ＲｅｖＢなど）にも適用されることができることは、理解されるべきである。本明細書で説明されるそのような実施態様において、ＨＮＢ２１０の所有者は、マクロモバイルオペレータのコアネットワーク２５０を介して提供される例えば３Ｇモバイル・サービスのようなモバイル・サービスにサブスクライブする可能性があり、ＵＥ２２０は、マクロセル環境中及びＨＮＢベースの狭いカバレージのネットワーク環境中で動作できる可能性がある。それゆえ、ＨＮＢ２１０は、任意の既存のＵＥ２２０との下位互換性に適している可能性がある。
【００１９】
以下で詳細に説明される様々な実施形態は、無線通信に関係し、特にマクロセルから得られるフェムトセルのシステムタイミング同期及びフェムトセルのコンステレーションのパイロット位相管理に関係する。
【００２０】
フェムトセル同期（Femto Cell Synchronization）
幾つかの通信技術において、フェムトセルは、マクロセルラーネットワークと同期される必要がある。一つの実施形態において、フェムトセル同期は、ＧＰＳ受信機をフェムトセル中に組み込むことによって達成されても良い。フェムトセルの同期のためのＧＰＳ受信機の使用は、フェムトセルの物理的配置を制限する。それは（例えば高層ビルにおける）ＧＰＳアンテナ及びケーブルを必要とするかもしれない。また、ＧＰＳ受信機の実装、特にフェムトセルに典型的な屋内設備（そこではＧＰＳの信号が弱い）は、（例えばパワーアップと同時の）フェムトセルの初期タイミング取得を遅くする可能性がある。
【００２１】
一つの実施態様において、フェムトセル同期は、順方向リンク受信機のエレメントをフェムトセルに組み込むことによって達成されても良い。各々のフェムトセルは、ＵＥ又はＭＳのアンテナ利得より優れているアンテナ利得を持っても良く、マクロシステムとのコネクションを取得することができ、それをクロック派生（同期）のために使用することができる。一つの実施態様において、フェムトセル内の順方向リンク受信機の実装は、最新のゼロＩＦ（zero-IF）受信機の技術によって、フェムトセルのコストをほどほどに増すだけである。順方向リンク受信機は、マクロ基地局によってのみ使用されるキャリア周波数に同調することによって、フェムトセル自体について設計されるものに比べて、フェムトセル自身の信号のリジェクションを改善しても良い。
【００２２】
フェムトセルへの順方向リンク受信機の組み込みは、フェムトセルの物理的配置において、より多くの柔軟性を可能にする（例えば、地下、低階層）。順方向リンク受信機はまた、フェムトセルによる速いタイミング取得を可能にする。順方向リンク受信機はまた、フェムトネイバーリスト（マクロセル及びフェムトセル）を構成し、ＰＮオフセットセッティングを支援し、そして、フェムトセルの地理的位置を判定するために使用される。順方向リンク受信機はまた、異常な干渉を知らせることができ、場合により、家庭における最適な配置の決定を支援することができる。さらに、完全な移動局モデム（ＭＳＭ）は順方向リンク受信機のために必要とされず、それゆえ、それはＧＰＳ受信機に比較してより良い選択である。
【００２３】
図３は、フェムトセル内に順方向リンク受信機を組み込むことにってフェムトセルをマクロセルと同期させる例示的な方法を示す。ステップ３０２において、フェムトセルに含まれる順方向リンク受信機は、マクロセルだけが動作する周波数に同調し、マクロセルを探索する。そのようにする過程において、順方向リンク受信機は、信号を検出するために、フェムトセルがアクティブになっているときに、長い間（数秒）、信号を積算しても良く、それゆえ、たとえ信号状態が弱くても（非常に低いＥＣ／Ｉｏ）、それを検知することができる。ステップ３０４において、フェムトセルは、マクロセルラーネットワーク２５０の送信タイミングを検出する。ステップ３０６において、フェムトセルは、フェムトの送信タイミングを、マクロセルラーネットワークの送信タイミングと同期させる。ステップのアウトラインは、フェムトセル２１０の初期起動又はパワーオンの間に起こっても良い。順方向リンク受信機を使用してフェムトセルにより一旦獲得された同期を維持するために、削減された数のステップ又は変更／促進されたステップが必要とされても良い。
【００２４】
フェムトセルは、同期を得ること及びマクロセルラーシステムからその位置を判定することにおいて、ＵＥより正確である。フェムトセルは、マクロＣＤＭＡシステムを検出し、それ自身を（所定のしきい値を上回るＥＣ／Ｉｏをもつ）最も強いパイロットと同期させる。フェムトセルには、広範囲にパイロットを探索し、また、非常に低いＥＣ／Ｉｏをもつパイロットを検出する能力がある。フェムトセルの位置は固定されており、それゆえ、それは、近隣のマクロセルのパイロットを探索すること及び非常に弱いパイロットからさえＣＤＭＡ信号を積算することに、多くの時間を費やすことができる。フェムトセルは一般的に固定電力供給網から電力を供給され、規模の制約がより少ないので、たとえバッテリー・バックアップが必要でも、バッテリー制限はここで問題ではない。さらに、ＵＥアンテナと比較して、より高い利得をもつアンテナ構成がフェムトセルにより使用される。
【００２５】
一つの実施態様において、その位置を判定することに基づいて、フェムトセルはまた、運用、管理、保守及び供給（Operation, Administration, Maintenance and Provisioning）（ＯＡＭ＆Ｐ）システムへ、パイロットＰＮオフセット及び検出されたマクロセルの相対的なタイミングをレポートする。ＯＡＭ＆Ｐシステムは、マクロセルのＬＡＴ／ＬＯＮを知っており、フェムトセルの位置を判定するために、三角測量を実行する。一つの実施形態において、ＯＡＭ＆Ｐシステムは、対象フェムトセルへＬＡＴ／ＬＯＮ情報を送信する。他のアプローチは、物理アドレス（固定された広帯域コネクションの終端のポイント）からＬＡＴ／ＬＯＮ検索を実行することである。複数のアプローチが一貫性のチェックとして使用されることができ、結果的に、より頑強なプロシージャーをもたらす。
【００２６】
フェムトセルにおいてマクロセルの順方向リンク信号から得られた同期タイミングは、マクロ送信機からフェムト受信機への伝搬遅延のために、時間においてシフトされる。それに応じてフェムトセルにおいて同期タイミングを進めることによって、この遅延は修正されるはずである。以上の通り及びステップ３０８に示されるように、伝搬遅延は、マクロセルの位置及びフェムトセルの位置（それらの両方は、ＯＡＭ＆Ｐシステムに知られている）から計算されることができる。
【００２７】
フェムトセルパイロット位相プランニング（Femto Cell Pilot Phase Planning）
オペレータが、初期の数年の比較的少ない数から最近の数年のより進歩した状態の多くのフェムトセルの高密度の配置まで、増大して配置されるフェムトセルの数をもって増加する方法でフェムトセルを展開することを、フェムトセルは可能にする。パイロットＰＮ位相は、近隣のセル間の順方向リンク信号を分離するために使用される。そして、それは、フェムトセルが数多く存在し且つ非常に高密度である（高層ビルにおける水平にだけでなく垂直にも）場合に、進歩的な状態の配置でフェムトセルを含まなければならないであろう。それゆえ、パイロットＰＮ位相プランニングは、そのような高密度の配置を可能にするように、綿密にデザインされる必要がある。パイロットＰＮオフセットプランニングの重要な部分は、フェムトセルのために多くのオフセットを可能することである。
【００２８】
一つの実施態様では、フェムトセルがマクロセルのパイロットから分離されるように、パイロット位相（ＰＮ）がフェムトセルに割当てられる。これは、ネットワーク・オペレータが、不変のマクロシステムのためのプランニング・プラクティスを続けることを可能にする。具体的には、オペレータは、フェムト配置が開始するときに、既存のマクロセルパイロットＰＮオフセットを変更する必要はない。さらに、オペレータは、それが既存のマクロセルのために使用したオフセットのプールからパイロットＰＮオフセットをとり、新しく配置されたマクロセルにそれらを割り当てることによって（セル分割として知られているプロセス）、マクロネットワークを発展させ続けることが可能になるはずである。
【００２９】
一つの実施態様において、システム・パラメータＰＩＬＯＴ＿ＩＮＣは、パイロットＰＮオフセットのコンステレーション・サイズを管理するために使用される。説明のために、６４個のマクロセルのコンステレーション・サイズが、以下に詳細に説明される実施態様で使用される。探索ウィンドウは、探索の労力を軽減するためにＭＳ受信機に与えられるシステム・パラメータである。伝搬に起因する位相シフトのために、ウィンドウにわたって探索することが必要になる。例えば、典型的な都市又は郊外のセッティングにおいて、セルは、６４個のセル・コンステレーションにおいて許される１２５ｋｍよりもはるかに小さい。それゆえに、探索ウィンドウは、受信機の探索の労力をかなり軽減する。（戸別の又は階別の）フェムトセルのカバレージをオーバーラップさせる可能性のために、パイロットのコンステレーションは、フェムトセルが互いに干渉しないように、提供されなければならない。
【００３０】
一つの実施形態において、ＰＩＬＯＴ＿ＩＮＣは、フェムトセルの配置に先立って使用されたマクロのみの構成から、少なくとも１ずつ減じられる。これは、マクロセルのために存在するのと同数のＰＮを、フェムトセルのために有効に利用できるようにする（opens up）。あるいは、ＰＩＬＯＴ＿ＩＮＣは、フェムトセル使用のために次第により多くの位相オフセットをオープンにして、２，３．．．などずつ減じられることができる、
図４は、パイロット位相プランニング・チャート（pilot phase planning chart）を例示する。簡略化された説明のために、マクロセルのための８個の位相の全コンステレーションが示される。実際のネットワークでは、６４又は１２８個のコンステレーション・サイズが、より典型的である。ＰＩＬＯＴ＿ＩＮＣを１ずつデクリメントすることによって、位相空間２πは、図４上の例において８個のマクロ位相オフセットに分割され、結果的に、元の８個のオフセットの間に挿入される８個の更なるフェムトセルオフセットの生成をもたらす。例えば、オフセットＭＰ０〜ＭＰ７が、マクロのセルのためのＰＮオフセットであるならば、ｆＰ１〜ｆＰ７は、フェムトセルのための位相オフセットである。
【００３１】
例えば、ＰＩＬＯＴ＿ＩＮＣをデクリメントすると、ＰＮオフセットは、２π／１２８＊２ｉ（ここで、Ｉは、０から６３まで変化する）における６４個のマクロＰＮオフセット（偶数のＰＮオフセット）、及び、２π／１２８＊（２ｉ＋１）における６４個のフェムトＰＮオフセット（奇数のＰＮオフセット）を含むことができる。初めに、低い密度のフェムトにおいて、奇数ＰＮオフセットのサブセットが、フェムトのために使用されても良く、また、システム・パラメータ・メッセージ（System Parameters Message）中のフェムトセルによりブロードキャストされるネイバーリスト中に明示的に含まれていても良い。フェムトの密度が高くなる頃には、新しいフェムトに気付いているＭＳは、フェムトＰＮオフセットの完全なセットを、それらがネイバーリストに明示的に含まれることなしに、配置され、また、処理することができる。
【００３２】
一つの実施態様において、フェムトセルのための探索ウィンドウは、ＵＥ又はＭＳによる探索の労力を軽減する。伝搬に起因する位相シフトのために、ＭＳにおけるタイム・リファレンス（time reference）は、基地局（ＢＳ）からの伝達を通して、異なっている（遅延されている）。図５は、探索ウィンドウの概念を例示する。図５は、次のことを示す。  
ＢＳ１，ＢＳ２における時刻：  ｔ
ＭＳにおける時刻：  ｔ−ｄ１／Ｃ  （ここで、Ｃ＝３ｅ５ ｋｍ／ｓ（光速度））
位相のずれ＝（ｄ２−ｄ１）／Ｃ；  ＭＳにおいて、ＢＳ２パイロットは、この位相のずれにより遅延されて現われるであろう。
【００３３】
最大のずれ＝Ｄ／Ｃ  ＝＞  探索ウィンドウ
ＭＳがＢＳ１から離れたある距離にあるまで、ＢＳ２はＭＳにとって認識できない或いは有意ではないので、この探索ウィンドウは伝統的（conservative）である。しかしながら、マルチパスに起因する更なる遅延のために、あるクッションが必要とされる。
【００３４】
一つの実施形態において、フェムトセルの導入の時にＰＩＬＯＴ＿ＩＮＣパラメータをデクリメントすることは、マクロ探索ウィンドウを変更しない。マクロセルの位相間隔は、同じままである。フェムト・ウィンドウは、マクロに比べて小さくても良いが、参照されたマクロセルの最も遠いカバレージに対する遅延に比べて大きいはずである。
【００３５】
以下は例である：
パイロット周期Ｔ＝２１５＝３２，７６８チップ（２６．６６７ｍｓ）；
チップ周期Ｔ０＝１／１．２２８８ｍｓ＝０．８１４ｍｓ；
Ｄ＝隣接セル距離：  １０ｋｍ；
ＰＩＬＯＴ＿ＩＮＣ＝３マイクロ秒、マクロ−マクロのＰＮオフセット距離＝５１２チップ； マクロ−フェムト＝２５６チップ；
探索ウィンドウ：  Ｄ／（Ｃ＊Ｔ０）＝４１チップ；
最小のマクロ−マクロの位相シフトのパーセンテージとしてのウィンドウ：  ４１／５１２＝８％;
マクロ−フェムトの位相シフトのパーセンテージとしてのウィンドウ：  ４１／２５６＝１６％；
ＰＮオフセット及び探索ウィンドウ・プランニングは、探索ウィンドウがオーバーラップしないような状態であるべきである。
【００３６】
さらに、ＣＤＭＡタイミングには、比較的厳密な許容範囲（relatively strict tolerance）がある。探索ウィンドウの概念は、この厳密なタイミングに依存する。フェムトセル・タイミングは、たとえＧＰＳが利用可能でなくても、フェムト位置の知識に基づいて調節されることができる。
【００３７】
一つの実施形態において、フェムトの緯度及び経度（ＬＡＴ／ＬＯＮ）の知識が使用される。フェムトＬＡＴ／ＬＯＮが、どのように得られるか（例えば、アドレス・データベース検索、三角測量又は他の手段）は、重要ではない。また、隣接するマクロ基地局の１又は複数の識別情報及び位置は、システムにより知られている（それらがどのように得られるかもまた重要ではない）。
【００３８】
一つの実施形態において、ＯＡＭ＆Ｐシステムは、マクロ隣接ＢＳ（ｓ）とフェムトセルとの間の距離Ｄ（ｉ）、及び、対応する位相遅延ＤＴ（ｉ）＝Ｄ（ｉ）／Ｃを計算する（ここで、Ｃは光速度である）。
【００３９】
フェムトセルは、（１又は複数の）位相シフト差を測定する（それはＴ（ｉ）−Ｔ（０）を参照する）。ただし、単独で（１又は複数の）絶対的な位相シフトを判定することはできない。（１又は複数の）位相シフトは、ＯＡＭ＆Ｐシステムによって、フェムトに提供される。
【００４０】
ＯＡＭ＆Ｐシステムは、伝搬遅延（例えば、最も近接するマクロＢＳからの伝搬遅延− ＤＴ（０））に起因するタイミングの進みのための必要な計算を実行することができる。ＯＡＭ＆Ｐは、このタイミングの進みを、フェムトセルへ伝えることができる。フェムトセルは、受信システムを、最も接近しているものからの時間、進めることによって、そのタイミング基準を調節する：  ＴＦ＝Ｔｒ（０）＋ΔＴ（０）。あるいは、複数のマクロＢＳからの加重平均が使用されても良い。これはフェムト順方向リンク送信を開始する前の一度だけのオペレーションであることに留意されるべきである。
【００４１】
パイロット探索手順レガシーＭＳサポート（Pilot Search Methodology Legacy MS Support）
一つの実施態様において、レガシー・サーチャー（フェムトセルを知らない）をもつＭＳ群をサポートするために、フェムトセル・コンステレーションのサブセット（ＬＳ−レガシー・セットについて）は、最初に、レガシーＭＳ群をサポートするように意図されているフェムトセルに割り当てられる。さらに、いずれのマクロ基地局のネイバーリストも、完全なレガシー・セットを加えることによって拡張される。これは、これらのレガシーＭＳ群がフェムトセルのいかなる認識をも持たないので、必要であり、そして、あたかもそれらがマクロパイロットであるかのように、フェムトパイロットを探索しなければならない。
【００４２】
図６は、アイドル状態にあるレガシーＭＳの方法を例示する。一つの実施態様において、レガシーＭＳは、マクロネットワーク上でアイドル状態にあり、周波数ＦＦ上で動作する。そして、それはまた、ステップ６０２に示されるように、フェムトセルのために使用される。マクロセルパイロットに加えて、ネイバーリストはまた、レガシーＭＳオペレーションのために予約されたフェムトパイロットのサブセットを含む。ＭＳが支配的な強さのフェムトパイロットを検出する場合、それは、ステップ８０４で示されるように、フェムトセルのアイドルモードの復調を開始し、次に、ＭＳは、ステップ８０６で示されるように、新たなＳＩＤＦ／ＮＩＤＦを検出する。
【００４３】
ステップ６０８において、ＭＳは、フェムト選択を完了して、登録メッセージをフェムトネットワークへ送信する。ステップ６１０において、マクロネットワークは、ＭＳが許可されたユーザであるかどうか判定することを試みる。ステップ６１２で示されるように、許可されたＭＳは、そこに登録されサービスされることになる。
【００４４】
本明細書の教示が様々なタイプの通信装置に実装されても良いことは認識されるべきである。幾つかの態様において、本明細書の教示は、複数の無線アクセス端末に関する通信を同時にサポートできる多元接続通信システムに配置される無線デバイスに、実装されても良い。ここで、各々の端末は、順方向リンク及び逆方向リンクの上の伝送を介して、１つ又は複数のアクセスポイントと通信しても良い。順方向リンク（又はダウンリンク）は、アクセスポイントから端末までの通信リンクを指し示し、逆方向リンク（又はアップリンク）は、端末からアクセスポイントまでの通信リンクを指し示す。この通信リンクは、単一入力単一出力システム、多重入力多重出力（“ＭＩＭＯ”）システム、又は何らかの他のタイプのシステムを介して、確立されても良い。
【００４５】
ＭＩＭＯシステムは、データ伝送のために複数の（NT個の）送信アンテナ及び複数の（ (NR個の）受信アンテナを使用する。ＮＴ個の送信アンテナ及びＮＲ個の受信アンテナによって形成されるＭＩＭＯチャネルは、空間チャネルとも呼ばれる、ＮＳ個の独立したチャネルに分解されることができる。ここで、ＮＳ≦ｍｉｎ｛ＮＴ，ＮＲ｝である。ＮＳ個の独立したチャネルの各々は、一つの次元に対応する。複数の送信及び受信アンテナによって作成される更なる次元が利用される場合、ＭＩＭＯシステムは、向上したパフォーマンス（例えば、より高いスループット及び／又はより大きな信頼性）を提供することができる。
【００４６】
ＭＩＭＯシステムは、時分割双方向（“ＴＤＤ”）システム及び周波数分割双方向（“ＦＤＤ”）システムをサポートする。ＴＤＤシステムにおいて、順方向リンクの伝送及び逆方向リンクの伝送は、相互関係原則が逆方向リンク・チャネルから順方向リンク・チャネルを推定することを可能にするように、同一の周波数領域上にある。これは、アクセスポイントにおいて複数のアンテナが利用できる場合に、アクセスポイントが、順方向リンク上で送信ビームフォーミング利得（transmit beamforming gain）を抽出することを可能にする。
【００４７】
本明細書の教示は、少なくとも一つの他のノードと通信するための様々なコンポーネントを使用するノード（例えばデバイス）に組み込まれても良い。図７は、ノード間の通信を容易にするために使用されてもよい幾つかのサンプル・コンポーネントを示す。詳しくは、図７は、ＭＩＭＯシステム７００の無線デバイス７１０（例えばアクセスポイント）及び無線デバイス７５０（例えばアクセス端末）を例示する。デバイス７１０において、幾らかのデータストリーム用のトラフィック・データは、データソース７１２から送信（ “ＴＸ”）データプロセッサ７１４へ提供される。
【００４８】
幾つかの実施形態では、各々のデータストリームは、それぞれの送信アンテナを通して送信される。ＴＸデータプロセッサ７１４は、符号化されたデータを供給するために、そのデータストリームについて選択された特定の符号化スキームに基づいて、各々のデータストリームのためのトラフィック・データを、フォーマットし、符号化し、そして、インターリーブする。
【００４９】
各々のデータストリームのための符号化されたデータは、ＯＦＤＭ技術を使用して、パイロット・データと多重化されることができる。パイロット・データは、一般的に、既知の方法で処理された既知のデータ・パターンであり、また、チャネル・レスポンスを推定するために受信機システムで使用されることができる。各々のデータストリームのための多重化されたパイロット及び符号化されたデータは、それから、変調シンボルを提供するために、そのデータストリームについて選択された特定の変調スキーム（例えば、ＢＰＳＫ、ＱＳＰＫ、Ｍ−ＰＳＫ、又はＭ−ＱＡＭ）に基づいて、変調（すなわち、シンボルマッピング）される。各々のデータストリームに関するデータレート、符号化及び変調は、プロセッサ７３０により実行されるインストラクションにより決定されることができる。データメモリ７３２は、プログラムコード、データ、及びプロセッサ７３０又はデバイス７１０の他のコンポーネントにより使用される他の情報を格納しても良い。
【００５０】
すべてのデータストリームのための変調シンボルは、それから、ＴＸ ＭＩＭＯプロセッサ７２０に提供され、そして、ＴＸ ＭＩＭＯプロセッサ７２０は、更に、（例えば、ＯＦＤＭに関して）該変調シンボルを処理することができる。ＴＸ ＭＩＭＯプロセッサ７２０は、それから、ＮＴ個の変調シンボル・ストリームをＮＴ個の送受信機（“ＸＣＶＲ”）７２２Ａ〜７２２Ｔに提供する。幾つかの実施形態では、ＴＸ ＭＩＭＯプロセッサ７２０は、データストリームのシンボルに及び該シンボルが送信されているアンテナに、ビームフォーミング重みを適用する。
【００５１】
各々の送受信機７２２は、１又は複数のアナログ信号を提供するために、それぞれのシンボル・ストリームを受信及び処理し、そして、ＭＩＭＯチャネル上での伝送に適した変調信号を供給するために、該アナログ信号を更に調整（conditions）（例えば、増幅、フィルタリング及びアップコンバート）する。送信機７２２Ａ〜７２２ＴのＮＴ個の変調信号は、それから、それぞれ、ＮＴ個のアンテナ７２４Ａ〜７２４Ｔから送信される。
【００５２】
デバイス７５０において、送信された変調信号は、ＮＲ個のアンテナ７５２Ａ〜７５２Ｒにより受信され、そして、各々のアンテナ７５２からの該受信された信号は、それぞれの送受信機（“ＸＣＶＲ”）７５４Ａ〜７５４Ｒに提供される。各々の送受信機７５４は、それぞれの受信された信号を調整（例えば、フィルタリング、増幅及びダウンコンバート）し、サンプルを提供するために、該調整された信号をデジタイズし、更に、対応する “受信（received）”シンボル・ストリームを提供するために、該サンプルを処理する。
【００５３】
受信（“ＲＸ”）データプロセッサ７６０は、それから、ＮＴ個の“検出（detected）”シンボル・ストリームを提供するために、特定の受信機処理技術に基づいて、ＮＲ個の受信機７５４から、該ＮＲ個の受信シンボル・ストリームを受信し処理する。ＲＸデータプロセッサ７６０は、それから、データストリームのためのトラフィック・データを回復するために、各々の検出シンボル・ストリームを、復調し、デインターリーブし、そして、復号化する。ＲＸデータプロセッサ７６０による処理は、デバイス７１０におけるＴＸＭＩＭＯプロセッサ７２０及びＴＸデータプロセッサ７１４により実行されるそれと相補的である。
【００５４】
プロセッサ７７０は、周期的に、いずれのプリコーディング・マトリックスを使用するべきかについて判定する（以下に記載する）。プロセッサ７７０は、マトリックス・インデックス部とランク値部とを含む逆方向リンク・メッセージを作成する。データメモリ７７２は、プログラムコード、データ、及びプロセッサ７７０又はデバイス７５０の他のコンポーネントにより使用される他の情報を格納しても良い。
【００５５】
逆方向リンク・メッセージは、通信リンク及び／又は受信データストリームに関して様々なタイプの情報を含むことができる。逆方向リンク・メッセージは、それから、ＴＸデータプロセッサ７３８（それはまた、データソース７３６から幾つかのデータストリームのためのトラフィック・データを受信する。）により処理され、変調器７８０により変調され、送信機７５４Ａ〜７５４Ｒにより調整され、そして、もとのデバイス７１０へ送信される。
【００５６】
デバイス７１０において、デバイス７５０からの変調信号は、デバイス７５０により送信された逆方向リンク・メッセージを抽出するために、アンテナ７２４により受信され、送受信機７２２により調整され、復調器（“ＤＥＭＯＤ”）７４０により復調され、そして、ＲＸデータプロセッサ７４２により処理される。プロセッサ７３０は、それから、いずれのプリコーディング・マトリックスを、ビームフォーミング重みを決定するための用いるかについて判定し、次に、該抽出されたメッセージを処理する。
【００５７】
本明細書の教示は、様々なタイプの通信システム及び／又はシステム・コンポーネントに組み込まれても良い。幾つかの態様において、本発明の教示は、（例えば、バンド幅、送信電力、符号化、インターリービングなどのうちの１つ又は複数を指定することによって）利用可能なシステム・リソースを共有することによって、複数のユーザとのコミュニケーションをサポートすることができる多元接続システムで使用されても良い。例えば、本明細書の教示は、以下の技術の任意の一つ又は組み合わせに適用されても良い：符号分割多元接続（“ＣＤＭＡ”）システム、マルチキャリアＣＤＭＡ（“ＭＣＣＤＭＡ”）、ワイドバンドＣＤＭＡ（“Ｗ−ＣＤＭＡ”）、高速パケット・アクセス（“ＨＳＰＡ”， “ＨＳＰＡ＋”）システム、時分割多元接続（“ＴＤＭＡ”）システム、周波数分割多元接続（“ＦＤＭＡ”）システム、シングルキャリアＦＤＭＡ（“ＳＣ−ＦＤＭＡ”）システム、直交周波数分割多元接続（“ＯＦＤＭＡ”）システム又は他の多元接続技術。本明細書の教示を使用する無線通信システムは、例えばＩＳ−９５、ｃｄｍａ２０００、ＩＳ−８５６、Ｗ−ＣＤＭＡ、ＴＤＳＣＤＭＡ、及び他の標準のような１又は複数の標準を実装するようにデザインされることができる。ＣＤＭＡネットワークは、例えばユニバーサル地上無線アクセス（“ＵＴＲＡ”）、ｃｄｍａ２０００、又は何らかの他の技術のような無線技術を実装することができる。ＵＴＲＡは、Ｗ−ＣＤＭＡ及び低チップレート（“ＬＣＲ”）を含む。ｃｄｍａ２０００技術は、ＩＳ−２０００標準、ＩＳ−９５標準及びＩＳ−８５６標準をカバーする。ＴＤＭＡネットワークは、例えばグローバル移動体通信システム（“ＧＳＭ”）のような無線技術を実装することができる。ＯＦＤＭＡネットワークは、例えばEvolved ＵＴＲＡ（“Ｅ−ＵＴＲＡ”）、ＩＥＥＥ ８０２．１１、ＩＥＥＥ ８０２．１６、ＩＥＥＥ ８０２．２０、Ｆｌａｓｈ−ＯＦＤＭ（登録商標）などのような無線技術を実装することができる。ＵＴＲＡ、Ｅ−ＵＴＲＡ及びＧＳＭは、ユニバーサル移動通信システム（“ＵＭＴＳ”）の一部である。本明細書の教示は、３ＧＰＰロングタームエボリューション（“ＬＴＥ”）システム、ウルトラ・モバイル・ブロードバンド（“ＵＭＢ”）システム、及び他のタイプのシステムで実装されても良い。ＬＴＥは、Ｅ−ＵＴＲＡを使うＵＭＴＳのリリースである。本開示のある態様は３ＧＰＰの専門用語を使用して説明されるかもしれないが、本明細書の教示は、３ＧＰＰ （Ｒｅ１９９，Ｒｅ１５，Ｒｅ１６，Ｒｅ１７）技術だけでなく、３ＧＰＰ２ （ＩｘＲＴＴ，１ｘＥＶ−ＤＯ ＲｅｌＯ，ＲｅｖＡ，ＲｅｖＢ）技術及び他の技術にも適用されることができることは理解されるべきである。
【００５８】
本明細書の教示は、種々の装置（例えば、ノード）に組み込まれても良い（例えば、それらの内部に実装されても良いし、あるいは、それらによって実行されても良い）。幾つかの態様において、本明細書の教示に従って実装されるノード（例えば、無線ノード）は、アクセスポイント又はアクセス端末を含んでも良い。
【００５９】
例えば、アクセス端末は、ユーザ装置、加入者設備、加入者ユニット、モバイル局、モバイル、モバイル・ノード、リモートステーション、リモート端末、ユーザ端末、ユーザ・エージェント、ユーザ・デバイス、又は何らかの他の専門用語として知られ、あるいは、それらとして実装され、あるいは、それらを含んでも良い。幾つかの実装において、アクセス端末は、携帯電話、コードレス電話、セッション開始プロトコル（“ＳＩＰ”）電話、ワイヤレ・スローカル・ループ（“ＷＬＬ”）局、携帯情報端末（“ＰＤＡ”）、無線接続機能を持つ携帯用デバイス、又は無線モデムに接続される何らかの他の適した処理デバイスを含んでも良い。したがって、本明細書で教えられる１又は複数の態様は、電話（例えば、携帯電話（cellular phone）又は高度自動機能電話（smart phone））、コンピュータ（例えば、ラップトップ）、携帯型通信デバイス、携帯型コンピュータデバイス（例えば、パーソナル・データ・アシスタント）、エンターテイメント・デバイス（例えば、音楽デバイス、ビデオデバイス又は衛星ラジオ）、グローバル・ポジショニング・システム・デバイス、又は無線媒体を介して通信するように構成される任意の他の適したデバイスに組み込まれても良い。
【００６０】
アクセスポイントは、Ｎｏｄｅ Ｂ、ｅＮｏｄｅ Ｂ、無線ネットワーク制御装置（“ＲＮＣ”）、基地局（“ＢＳ”）、無線基地局（“ＲＢＳ”）、基地局制御装置（“ＢＳＣ”）、無線基地局（base transceiver station）（“ＢＴＳ”）、送受信機機能（“ＴＦ”）、無線送受信機、無線ルータ、基本サービスセット（“ＢＳＳ”）、拡張サービスセット（“ＥＳＳ”）、又は何らかの他の同様の専門用語として知られ、あるいは、それらとして実装され、あるいは、それらを含んでも良い。
【００６１】
幾つかの態様において、ノード（例えば、アクセスポイント）は、通信システムのためのアクセスノードを含んでも良い。そのようなアクセスノードは、例えば、ネットワーク（例えばインターネット又はセルラーネットワークのようなワイドエリアネットワーク）に対する或いは該ネットワークまでの接続性を、該ネットワークへの無線又は有線の通信リンクを介して、提供する。したがって、アクセスノードは、他のノード（例えば、アクセス端末）が、ネットワーク又は何らかの他の機能性にアクセスするのを可能にすることができる。その上、ノードの一方又は両方がポータブルであっても良いし、場合によっては、相対的に非ポータブルであっても良いことは認識されるべきである。
【００６２】
さらに、無線ノードに非無線の方法で（例えば、配線接続によって）情報を送信及び／又は受信する能力があっても良いことは認識されるべきである。それゆえ、本明細書で議論されるような受信機及び送信機は、非無線の媒体によって通信するための適切な通信インタフェース・コンポーネント（例えば、電気的な又は光学的なインタフェース・コンポーネント）を含んでも良い。
【００６３】
無線ノードは、任意の適切な無線通信技術に基づくか又はそうでなければそれをサポートする１つ又は複数の無線通信リンクを介して、通信しても良い。例えば、幾つかの態様において、無線ノードは、ネットワークと関連していても良い。幾つかの態様において、ネットワークは、ローカルエリアネットワーク又はワイドエリアネットワークを含んでも良い。無線デバイスは、本明細書で議論されるような種々の無線通信技術、プロトコル又は標準（例えば、ＣＤＭＡ、ＴＤＭＡ、ＯＦＤＭ、ＯＦＤＭＡ、ＷｉＭａｘ、Ｗｉ−Ｆｉなど）の１つ又は複数をサポートしても良く又はそうでなければ使用しても良い。同様に、無線ノードは、種々の対応する変調スキーム又は多重化スキームの１つ又は複数をサポートしても良く又はそうでなければ使用しても良い。無線ノードは、それゆえ、上述の又は他の無線通信技術を使用して、１つ又は複数の無線通信リンクを介して確立及び通信するための適切なコンポーネント（例えば、エアー・インターフェース）を含んでも良い。例えば、無線ノードは、無線媒体を通した通信を容易にする様々なコンポーネント（例えば、信号発生器及び信号プロセッサ）を含むことができる関連した送信機コンポーネント及び受信機コンポーネントを備えた無線送受信機を含んでも良い。
【００６４】
図８は、本明細書で説明される更なる態様に従ったシステム８００のサンプルブロック図を示す。システム800は、フェムトセル同期を容易にすることができる装置を提供する。詳しくは、システム８００は、例えば、同期手段８１０、受信手段８２０、分割手段８３０、挿入手段８４０、作成手段８５０（各々は通信リンク８０５に接続されており、通信リンク８０５を通して他のモジュールあるいは手段と通信することができる）のような複数のモジュールあるいは手段を含むことができる。
【００６５】
本明細書は、本発明の特定の例を説明するが、通常の知識を有する者は、本発明の概念を逸脱しない範囲で、本発明のバリエーションを創造することができる。例えば、本明細書の教示は、回線交換ネットワークのエレメントを指し示すが、パケット交換ドメイン・ネットワークのエレメントに同様に適用可能である。
【００６６】
情報及び信号は、いろいろな異なるテクノロジー及びテクニックの任意のものを用いて表現可能であることを、当業者は理解できるであろう。例えば、上記説明の間に参照される、データ、インストラクション、コマンド、情報、信号、ビット、シンボル、及び、チップは、電圧、電流、電磁波、磁場若しくは磁性粒子（magnetic fields or particles）、光場若しくは光学粒子（optical fields or particles）、又はそれらの任意の組み合わせにより表現可能である。
【００６７】
本明細書で開示された例（examples）に関連して説明された、各種の説明する論理ブロック、モジュール、回路、方法、及び、アルゴリズムは、電子回路用ハードウェア、コンピュータソフトウェア、又は、それらの組み合わせとして、実装されても良いことを、当業者はさらに理解できるであろう。このハードウェア及びソフトウェアの互換性をめいりょうに説明するために、各種の説明するコンポーネント、ブロック、モジュール、回路、方法、及びアルゴリズムが、一般に、それらの機能性の観点で、前述された。当該の機能性は、システム全体に課される特定のアプリケーション及びデザインの制約に応じて、ハードウェア又はソフトウェアとして実装される。当業者は、説明された機能性を、各々のアプリケーションのためのさまざまな方法で実装しても良いが、当該の実装の決定は、本発明の範囲からの逸脱をもたらすものとして説明されるべきではない。
【００６８】
本明細書に開示された例（examples）に関連して説明された、種々の説明に役立つ、論理ブロック、モジュール、及び回路は、汎用プロセッサ、デジタル信号プロセッサ（ＤＳＰ）、特定用途向け集積回路（ＡＳＩＣ）、フィールドプログラマブルゲートアレイ（ＦＰＧＡ）又は他のプログラマブルロジックデバイス、個別ゲート又はトランジスタロジック、個別のハードウェアコンポーネント、又は本明細書で説明された機能を実行するようにデザインされた任意のそれらの組み合わせで実装されても良い。汎用プロセッサは、マイクロプロセッサであっても良いが、代わりに、プロセッサは、任意の従来のプロセッサ、コントローラ、マイクロコントローラ、又はステートマシンであっても良い。プロセッサはまた、コンピュータデバイスの組み合わせ、例えば、ＤＳＰとマイクロプロセッサとの組合せ、複数のマイクロプロセッサ、ＤＳＰコアと連結する１つ又は複数のマイクロプロセッサ、又は、他のそのような構成、として実装されても良い。
【００６９】
本明細書に開示された例（examples）に関連して説明された方法又はアルゴリズムは、直接、ハードウェアにより具体化されても良いし、プロセッサにより実行されるソフトウェアモジュールにより具体化されても良いし、又は、それら二つの組合せにより具体化されても良い。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、又は当該技術分野において周知の任意の他のフォームの記憶媒体に存在しても良い。記憶媒体は、プロセッサがその記憶媒体から情報を読み込み、また、それへ情報を書き込むことができるように、そのプロセッサに接続されても良い。代わりに、記憶媒体は、プロセッサに一体化されていても良い。プロセッサ及び記憶媒体は、ＡＳＩＣにおいて存在してもよい。
【００７０】
一つ又は複数の例示的な実施形態において、説明される機能は、ハードウェア、ソフトウェア、ファームウェア、又はそれらの任意の組み合わせにより実行されても良い。ソフトウェアで実装される場合には、機能は、コンピュータ読み取り可能な媒体に、１又は複数のインストラクション又はコードとして、格納され又は伝送されても良い。コンピュータ読み取り可能な媒体は、或る場所から他の場所へのコンピュータプログラムの転送を容易にする任意の媒体を含むコンピュータ記憶媒体及び通信媒体の両方を含む。記憶媒体は、コンピュータによってアクセスできる任意の利用可能な媒体であっても良い。制限ではなく、例として、上記コンピュータ読み取り可能な媒体は、ＲＡＭ、ＲＯＭ、ＥＥＰＲＯＭ、ＣＤ−ＲＯＭ、他の光ディスク記憶装置、磁気ディスク記憶装置若しくは他の磁気記憶装置、又は、インストラクション若しくはデータ構造の形で所望のプログラムコード手段を伝えるかか若しくは記憶するのに使用でき、且つ、コンピュータによってアクセスできる任意の他の媒体を含むことができる。また、任意のコネクション（connection）は、適切にコンピュータ読み取り可能な媒体と呼ばれる。例えば、同軸ケーブル、光ファイバーケーブル、ツイストペア、デジタル加入者線（ＤＳＬ）、又は、例えば赤外線、無線、マイクロ波のような無線技術を使用することによって、ウェブサイト、サーバ、又は他のリモートソースからソフトウェアが送信される場合に、その同軸ケーブル、光ファイバーケーブル、ツイストペア、ＤＳＬ、又は、例えば赤外線、無線、マイクロ波のような無線技術は、媒体の定義に含まれる。本明細書で用いられるディスク（Disk）及びディスク（disc）は、コンパクトディスク（ＣＤ）、レーザーディスク（登録商標）、光ディスク、デジタルバーサタイルディスク（ＤＶＤ）、フロッピー（登録商標）ディスク及びブルーレイディスク（登録商標）を含む。ここで、ディスク（disks）は、通常、磁気的にデータを複製（reproduce）し、一方、ディスク（discs）は、レーザーを使って光学的にデータをさせる。上記の組み合わせはまた、コンピュータ読み取り可能な媒体の範囲の中に含まれるべきである。
【００７１】
開示された例（examples）の前の説明は、当業者が本発明を製造又は使用できるようにするために提供される。これらの例（examples）への種々の変形は、当業者には容易に明白になるであろう。また、本発明で定義された一般的な原理は、本発明の精神又は範囲から逸脱することなく、他の例（examples）に適用されても良い。それゆえ、本発明は、本明細書で示された例（examples）に限定されることが意図されているのではなく、本明細書に開示された原理及び新規な特徴に合致する最も広い範囲を与えられることが意図されている。 
以下に、本願出願の当初の特許請求の範囲に記載された各請求項に対応する発明を付記する。 
［１］フェムトセルをマクロセルと同期させるための方法において、前記方法は、 
前記フェムトセル中の順方向リンク受信機によって、マクロセルからフェムトセルの送信タイミングを受信することと、 
前記順方向リンク受信機の信号に基づいて、前記フェムトセルの送信タイミングを前記マクロセルの送信タイミングと同期させることを含む方法。 
［２］前記順方向リンク受信機は、ゼロＩＦ受信機を実装する請求項１に記載の方法。 
［３］前記順方向リンク受信機は、フェムトセルによる速いタイミング取得を可能にする請求項１に記載の方法。 
［４］前記順方向リンク受信機は、前記フェムトセルの地理的位置を判定するのを支援する請求項１に記載の方法。 
［５］前記フェムトセル受信機の構成は、ステアビームアンテナを含む高利得アンテナを含む請求項４に記載の方法。 
［６］前記フェムトセルにおいて前記マクロセルの順方向リンク信号から得られた同期タイミングは、前記マクロセル送信機から前記フェムトセル受信機への伝搬遅延によって、時間においてシフトされるものであり、それに応じて前記フェムトセルにおける前記同期タイミングを進めることによって、前記マクロ送信機から前記フェムトセル受信機までの伝搬遅延が補正される請求項１に記載の方法。 
［７］マクロセルの送信タイミングを受信するための順方向リンク受信機を備え、 
フェムトセルは、前記順方向リンク受信機の信号に基づいて、前記フェムトセルの送信タイミングを前記マクロセルの送信タイミングと同期させる装置。 
［８］前記順方向リンク受信機は、ゼロＩＦ受信機を実装する請求項７に記載の装置。 
［９］前記順方向リンク受信機は、マクロセルによる速いタイミング取得を可能にする請求項７に記載の装置。 
［１０］前記順方向リンク受信機は、前記フェムトセルの地理的位置を判定するのを支援する請求項７に記載の装置。 
［１１］前記フェムトセル受信機の構成は、ステアビームアンテナを含む高利得アンテナを含む請求項１０に記載の装置。 
［１２］前記フェムトセルにおいて前記マクロセルの順方向リンク信号から得られた同期タイミングは、前記マクロセル送信機から前記フェムトセル受信機への伝搬遅延によって、時間においてシフトされるものであり、それに応じて前記フェムトセルにおける前記同期タイミングを進めることによって、前記マクロ送信機から前記フェムトセル受信機までの伝搬遅延が補正される請求項７に記載の装置。 
［１３］コンピュータ読み取り可能な媒体を含むコンピュータープログラム製品において、 
前記コンピュータ読み取り可能な媒体は、 
コンピュータに、フェムトセル中の順方向リンク受信機によって、マクロセルからフェムトセルの送信タイミングを受信させるように動作可能な、コードの第1のセットと、 
コンピュータに、前記順方向リンク受信機の信号に基づいて、前記フェムトセルの送信タイミングを前記マクロセルの送信タイミングと同期させるように動作可能な、コードの第２のセットとを含む、コンピュータープログラム製品。 
［１４］フェムトセルをマクロセルと同期させるための装置において、前記装置は、 
前記フェムトセル中の順方向リンク受信機によって、マクロセルからフェムトセルの送信タイミングを受信するための手段と、 
前記順方向リンク受信機の信号に基づいて、前記フェムトセルの送信タイミングを前記マクロセルの送信タイミングと同期させるための手段とを含む装置。 
［１５］前記順方向リンク受信機は、ゼロＩＦ受信機を実装する請求項１４に記載の装置。 
［１６］前記フェムトセル受信機の構成は、高利得アンテナを含み、 
前記高利得アンテナは、ステアブルである請求項１４に記載の装置。 
［１７］前記順方向リンク受信機は、フェムトセルによる速いタイミング取得を可能にする請求項１４に記載の装置。 
［１８］前記順方向リンク受信機は、前記フェムトセルの地理的位置を判定するのを支援する請求項１４に記載の装置。 
［１９］前記フェムトセルにおいて前記マクロセルの順方向リンク信号から得られた同期タイミングは、前記マクロセル送信機から前記フェムトセル受信機への伝搬遅延によって、時間においてシフトされるものであり、それに応じて前記フェムトセルにおける前記同期タイミングを進めることによって、前記マクロ送信機から前記フェムトセル受信機までの伝搬遅延が補正される請求項１４に記載の装置。 
［２０］フェムトセルのパイロット位相フェイズをセットするための方法において、前記方法は、 
２πを、複数のマクロ位相オフセットに分割することと、 
複数のフェムト位相オフセットを、マクロ位相オフセットの間に挿入する（各々のフェムト位相は、二つの隣接するマクロ位相オフセットの間に挿入される）ことと、 
マクロセルに対して存在するのと少なくとも同じ数のパイロット位相オフセットを、フェムトセルに対して作成することを含む方法。 
［２１］前記マクロセルに対して存在するのと少なくとも同じ数のパイロット位相オフセットを、フェムトセルに対して作成することは、偶数単位の最小位相間隔におけるマクロ位相オフセットを残している間、ＰＩＬＯＴ＿ＩＮＣをデクリメントして、フェムトセルに対してＰＮオフセットのための奇数単位の位相間隔を生成することを更に含む請求項２０に記載の方法。 
［２２］前記ＰＩＬＯＴ＿ＩＮＣは、マクロのセルのための位相オフセットとは別のものとして、フェムトセルのためのＰＮオフセットのサイズを管理するために使用される請求項２０に記載の方法。 
［２３］低密度のフェムトセルにおいて、奇数のＰＮオフセットのサブセットは、フェムトセルのために使用され及びネイバーリスト中に明示的に含まれることができる請求項２０に記載の方法。 
［２４］高密度のフェムトセルにおいて、新たなフェムトに気付いているＵＥは、フェムトＰＮオフセットのセットを、それらが明示的にネイバーリストに含まれることなしに、処理するように配置及び構成される請求項２０に記載の方法。 
［２５］フェムトセルのパイロット位相フェイズをセットするための装置において、 
２πを、複数のマクロ位相オフセットに分割するための手段と、 
複数のフェムト位相オフセットを、マクロ位相オフセットの間に挿入する（各々のフェムト位相は、二つの隣接するマクロ位相オフセットの間に挿入される）ための手段と、 
フェムトセルに対して及びマクロセルに対して、少なくとも同じ数のパイロット位相を作成するための手段とを含む装置。 
［２６］前記フェムトセルに対して及びマクロセルに対して、少なくとも同じ数のパイロット位相を作成するための手段は、偶数単位の最小位相間隔におけるマクロ位相オフセットを残している間、ＰＩＬＯＴ＿ＩＮＣをデクリメントして、フェムトセルに対してＰＮオフセットのための奇数単位の位相間隔を生成するための手段を更に含む請求項２５に記載の装置。 
［２７］前記ＰＩＬＯＴ＿ＩＮＣは、フェムトセルのためのＰＮオフセットのサイズを管理するために使用される請求項２５に記載の装置。 
［２８］低密度のフェムトセルにおいて、奇数のＰＮオフセットのサブセットは、フェムトセルのために使用され及びネイバーリスト中に明示的に含まれることができる請求項２５に記載の装置。 
［２９］高密度のフェムトセルにおいて、新たなフェムトに気付いているＵＥは、フェムトＰＮオフセットのセットを、それらが明示的にネイバーリストに含まれることなしに、処理するように配置及び構成される請求項２５に記載の装置。 
［３０］フェムトセルのパイロット位相フェイズをセットするための装置において、 
２πを、複数のマクロ位相オフセットに分割し、 
複数のフェムト位相オフセットを、マクロ位相オフセットの間に挿入し（各々のフェムト位相は、二つの隣接するマクロ位相オフセットの間に挿入され）、 
フェムトセルに対して及びマクロセルに対して、少なくとも同じ数のパイロット位相を作成するためのプロセッサを含む装置。 
［３１］コンピュータ読み取り可能な媒体を含むコンピュータープログラム製品において、 
前記コンピュータ読み取り可能な媒体は、 
コンピュータに、 
２πを、複数のマクロ位相オフセットに分割させ、 
複数のフェムト位相オフセットを、マクロ位相オフセットの間に挿入させ（各々のフェムト位相は、二つの隣接するマクロ位相オフセットの間に挿入され）、 
フェムトセルに対して及びマクロセルに対して、少なくとも同じ数のパイロット位相を作成させるためのコードを含むコンピュータープログラム製品。 
［３２］前記フェムトセルに対して及びマクロセルに対して、少なくとも同じ数のパイロット位相を作成させるためのコードは、コンピュータに、偶数単位の最小位相間隔におけるマクロ位相オフセットを残している間、ＰＩＬＯＴ＿ＩＮＣをデクリメントさせて、フェムトセルに対してＰＮオフセットのための奇数単位の位相間隔を生成させるためのコードを含む請求項３１に記載のコンピュータープログラム製品。 
［３３］前記ＰＩＬＯＴ＿ＩＮＣは、フェムトセルのためのＰＮオフセットのサイズを管理するために使用される請求項３１に記載のコンピュータープログラム製品。 
［３４］低密度のフェムトセルにおいて、奇数のＰＮオフセットのサブセットは、フェムトセルのために使用され及びネイバーリスト中に明示的に含まれることができる請求項３１に記載のコンピュータープログラム製品。 
［３５］高密度のフェムトセルにおいて、新たなフェムトに気付いているＵＥは、フェムトＰＮオフセットのセットを、それらが明示的にネイバーリストに含まれることなしに、処理するように配置及び構成される請求項３１に記載のコンピュータープログラム製品。 
［３６］アイドルハンドインの方法において、前記方法は、 
フェムトセルが配置される周波数の上で、マクロセルラーネットワーク上で、アイドル状態のレガシー移動局（“ＭＳ”）を操作することと、 
前記レガシーＭＳにより、支配的な強度のフェムトパイロット信号を検出することと、 
アイドルモードでフェムトセルからの信号を復調することと、 
新たなフェムトシステムネットワーク識別子を検出することと、 
フェムトセル選択を完了することと、 
登録メッセージを送信することを含む方法。 
［３７］前記アイドルハンドインの方法は、 
前記フェムトセル上で許可されたＭＳを登録することと、 
前記フェムトセル上の前記許可されたＭＳにサービスすることを更に含む請求項３６に記載の方法。 
［３８］コンピュータ読み取り可能な媒体を含むコンピュータープログラム製品において、 
前記コンピュータ読み取り可能な媒体は、 
コンピュータに、 
フェムトセルが配置される周波数の上で、マクロセルラーネットワーク上で、アイドル状態のレガシー移動局（“ＭＳ”）を操作させ、 
前記レガシーＭＳにより、支配的な強度のフェムトパイロット信号を検出することと、 
アイドルモードでフェムトセルからの信号を復調させ、 
新たなフェムトシステムネットワーク識別子を検出させ、 
フェムトセル選択を完了させ、 
登録メッセージを送信させるためのコードを含むコンピュータープログラム製品。 
［３９］前記アイドルハンドインのためのコードは、 
前記フェムトセル上で許可されたＭＳを登録し、 
前記フェムトセル上の前記許可されたＭＳにサービスするためのコードを更に含む請求項３８に記載のコンピュータープログラム製品。 
［４０］アイドルハンドインを実行するための装置において、前記装置は、 
フェムトセルが配置される周波数の上で、マクロセルラーネットワーク上で、アイドル状態のレガシー移動局（“ＭＳ”）を操作するための手段と、 
前記レガシーＭＳにより、支配的な強度のフェムトパイロット信号を検出するための手段と、 
アイドルモードでフェムトセルからの信号を復調するための手段と、 
新たなフェムトシステムネットワーク識別子を検出するための手段と、 
フェムトセル選択を完了するための手段と、 
登録メッセージを送信するための手段とを含む装置。 
［４１］前記アイドルハンドインのための手段は、 
前記フェムトセル上で許可されたＭＳを登録するための手段と、 
前記フェムトセル上の前記許可されたＭＳにサービスするための手段とを更に含む請求項４０に記載の装置。
【図１】
0005405642.tif 000002
【図２】
0005405642.tif 000003
【図３】
0005405642.tif 000004
【図４】
0005405642.tif 000005
【図５】
0005405642.tif 000006
【図６】
0005405642.tif 000007
【図７】
0005405642.tif 000008
【図８】
0005405642.tif 000009